(57)【要約】【課題】  前髪カット処理に好適な技術を提供する。【解決手段】    刃部１１０は、ブレード１１３よりも先端側に形成されて、カット処理対象となる前髪を選り分けるための櫛部１１５を有し、把持部１２０は、使用者が指を伸ばした状態で指の腹部ないし側部を面接触させて把持する指伸長把持領域１２３を有し、刃部１１０が、作業対象者の額面に向かって交差状に近接することで、櫛部１１５による前髪の選別保持、およびカット処理が行われるようにした前髪カット用ハサミ１。【選択図】      図１
2020195540.tif 000002
【特許請求の範囲】
【請求項１】
前髪カット用ハサミであって、
回動支点を中心に連結された、互いに対をなす、長尺状の第１ハサミ本体構成部および第２ハサミ本体構成部を有し、
前記第１ハサミ本体構成部および第２ハサミ本体構成部は、前記回動支点を挟んで形成された長尺状の刃部および長尺状の把持部をそれぞれ有し、
前記各刃部は、刃部長尺方向に延在する長尺体としてそれぞれ形成され、互いに対向する金属製のブレードと、前記ブレードよりも先端側に形成されて、カット処理対象となる前髪を選り分けるための櫛部と、を有し、
前記各把持部は、把持部長尺方向に延在する長尺体としてそれぞれ形成されるとともに、使用者が前記把持部長尺方向に指を伸ばした状態で、前記把持部長尺方向に沿って前記指の腹部ないし側部を面接触させて把持する指伸長把持領域を有し、
前記使用者が前記把持部長尺方向に指を伸長して前記各指伸長把持領域を把持した状態で、前記各刃部が、作業対象者の額面に向かって交差状に近接することで、前記櫛部による前髪の選別、および選別された前髪に対する前記刃によるカット処理が行われるように構成したことを特徴とする前髪カット用ハサミ
【請求項２】
請求項１に記載の前髪カット用ハサミであって、前記各把持部の前記指伸長把持領域は、前記把持部長尺方向に延在状に形成されるとともに、伸長した状態の使用者の手指の側部上に載置可能な天井部をそれぞれ有することを特徴とする前髪カット用ハサミ。
【請求項３】
請求項１または２に記載の前髪カット用ハサミであって、前記各刃部は、前記ブレードの背部を被覆する樹脂製のカバーを更に有することを特徴とする前髪カット用ハサミ。
【請求項４】
請求項３に記載の前髪カット用ハサミであって、前記櫛部、前記カバーおよび前記把持部は、樹脂による一体成形体として構成されることを特徴とする前髪カット用ハサミ。
【請求項５】
請求項１から４までのいずれか１項に記載の前髪カット用ハサミであって、使用者が当該前髪カット用ハサミを額面に向かって交差状に近接操作する場合の鉛直方向を上下方向と定義した場合、前記刃部延在方向および前記把持部延在方向は、下方向に向かって所定の鈍角をなすように互いに交差状に形成されていることを特徴とする前髪カット用ハサミ。
【請求項６】
請求項１から５のいずれか１項記載の前髪カット用ハサミであって、前記第１ハサミ本体構成部１および第２ハサミ本体構成部には、互いに反発する磁性のマグネットがそれぞれ配置されており、前記各マグネット間に生じる反発力により、前記第１ハサミ本体構成部と第２ハサミ本体構成部間に、前記回動支点回りに、離間方向への回転力が作用するように構成されていることを特徴とする前髪カット用ハサミ。
【請求項７】
請求項６に記載の前髪カット用ハサミであって、
当該前髪カット用ハサミに外力が作用しない場合に、前記各マグネット間に生じる反発力により、前記第１ハサミ本体構成部および第２ハサミ本体構成部は開状態に維持されるよう構成されていることを特徴とする前髪カット用ハサミ。
【請求項８】
請求項１からの７までのいずれか１項記載の前髪カット用ハサミであって、
前記第１ハサミ本体構成部および第２ハサミ本体構成部が互いに閉じた状態で、前記各刃部を被覆するキャップを更に有し、
前記キャップが装着された状態で、前記キャップと、前記一対の把持部が、流線一体連続状の外郭を構成することを特徴とする前髪カット用ハサミ。
【発明の詳細な説明】
【技術分野】
【０００１】
本発明は、理容ないし美容器具、具体的には前髪のカット処理を効果的に行うための技術に関する。
【背景技術】
【０００２】
頭髪をカット処理するに際しては、例えば特開２０１８−１９７４６号公報に開示されるように、処理対象となる頭髪の切断作業を容易化するための工夫が施された理容ハサミが知られている。頭髪のなかでも、特に前髪、すなわち処理対象者の額面に延びる頭髪をカット処理する場合、このような公知の理容ハサミでは、安全性の見地より、刃を額面に沿って、すなわち顔面に対して横方から刃を入れることで前髪をカットすることになるが、その場合、特にハサミの使用者が自身の前髪をカット処理するような場合には、「前髪がちらばる」「前髪が逃げる」「使いにくい」「手が疲れる」「作業部位の視認性が確保しにくい」等といった問題が生じ易い。
【０００３】
一方、前髪をカット処理するに際しては、例えば特開２００７−０２９６９７号公報（特許文献２）に開示されるように、カットラインを示した前髪カット用補助具に関する構成が公知であり、かかる補助具を上記理容ハサミに組み合わせて前髪カット処理を行う形態が想定される。
【０００４】
上記した前髪カット処理に関する各種技術は、それなりに作業性向上に効果があるものの、とくに前髪カット処理は、顔面に近い領域であって、作業性、視認性、安全性の確保、も含めて、一層の作業性向上技術の構築が要請される。
【特許文献１】特開２０１８−１９７４６号公報
【特許文献２】特開２００７−０２９６９７号公報
【発明の開示】
【発明が解決しようとする課題】
【０００５】
本発明は、かかる点に鑑みてなされたものであり、前髪カット処理の作業性を向上するのに好適な技術を提供することを課題とする。
【課題を解決するための手段】
【０００６】
上記課題は、本発明によって解決される。本発明においては、回動支点を中心に連結された、互いに対をなす、長尺状の第１ハサミ本体構成部および第２ハサミ本体構成部を有する前髪カット用ハサミが提供される。前記第１ハサミ本体構成部および第２ハサミ本体構成部は、前記回動支点を挟んで形成された長尺状の刃部および長尺状の把持部をそれぞれ有する。
【０００７】
前記各刃部は、刃部長尺方向に延在する長尺体としてそれぞれ形成され、互いに対向する金属製のブレード（刃ないし刃体とも称呼される）と、前記ブレードよりも先端側に形成されて、カット処理対象となる前髪を選り分けるための櫛部を有する。当該櫛部は、例えば樹脂、あるいはラウンド処理された金属にて成形されることが好ましい。
【０００８】
前記各把持部は、把持部長尺方向に延在する長尺体としてそれぞれ形成されるとともに、使用者が当該把持部長尺方向に指を伸ばした状態で、前記指の腹部ないし側部を面接触させて把持する指伸長把持領域を有する。そして前記使用者が、把持部長尺方向に指を伸長して前記各指伸長把持領域を把持した状態で、前記各刃部が、作業対象者の額面に向かって交差状に近接することで、前記櫛部による前髪の選り別け、および選別された前髪に対する前記ブレードによるカット処理が行われる。
【０００９】
本発明において「前髪」とは、カット処理対象者の額面上に延びる頭髪として定義される。また「櫛部」は、前髪を選り分けて、カット処理対象となる前髪を選別する部材として定義される。また使用者が「指を伸ばした状態」としては、指を完全に伸ばした状態のみならず、多少は指が曲折した状態も好適に包含されるものとする。「曲折」として、例えば、指の第１関節、第２間接等を鈍角の範囲で曲折させることで、掴み易い状態を作出するといった態様がこれに該当する。また指伸長把持領域における「面接触」としては、指の腹部および・または側部が完全に面接触する状態のみならず、多少の間隙を形成しつつ面接触する状態も好適に包含されるものとする。「多少の間隙」としては、上記した指の「曲折」に対応して、指の第１関節、第２間接に鈍角の範囲で曲折が生じる場合に、当該曲折に起因して、指伸長把持領域との間に僅かな隙間が生じることになるが、このような隙間が生じる場合であっても、本発明では、なお「面接触」の定義に包含されるものとする。
【００１０】
また前髪カット処理の「作業対象者」としては、本発明に係る前髪カット用ハサミの使用者が、自己の前髪をカット処理する態様、他者の前髪をカット処理する態様の双方が好適に包含される。また使用者の額面に「交差状に近接」とは、額面と直交状ないし略直交状にアプローチする態様はもちろん包含されるが、人間の身体的構造には人種差、男女差、年齢差等の様々な相違があることを考慮して、ある程度の傾斜状の近接態様も好適に包含されるものとする。
【００１１】
本発明によれば、刃部の先端側に形成された櫛部により、カット対象となる前髪を選別する際に、額面の受傷リスクないし恐怖感を生じさせることを効果的に抑止可能とされる。そして、前髪カット用ハサミの使用者は、把持部長尺方向に指を伸ばした状態で指伸長把持領域を把持し、刃部を作業対象者の額面に向かって交差状に近接させることができるので、作業処理対象者の正面側から前髪にアプローチして、櫛部による前処理（選別処理）、および刃によるカット処理を、安全性および視認性を確実に確保しながら遂行することができる。
【００１２】
特に、かかる指伸長把持領域による把持を基本として、額面に向かって交差状に近接して作業を遂行することができる特徴的構成により、櫛部および刃部を作業対象者の顔の左右方向（側方向）に動作させることができ、前髪の散らばりや逃げを効果的に抑制しつつカット処理ができる。このため、とくに前髪カット用ハサミの使用者が自己の前髪をカット処理する場合の作業性が著しく向上することになる。
【００１３】
すなわち、本発明に係る前髪カット用ハサミによれば、高い作業性と視認性を確保しながらの作業環境を付与することにより、「使い易い」「疲れにくい」という直接的な作業性向上効果のみならず、刃物を扱う際の、使用者および作業対象者の恐怖心を著しく低減することによる「安全」「安心」という間接的な作業性向上効果も確保され、人間工学的に優れた前髪カット処理技術が構築されることになる。
【００１４】
本発明は前髪カット用ハサミとして構成されているが、作業対象者の顔面に交差状に近接アプローチする作業態様、例えば、睫毛、鼻毛、耳毛、髭のトリミングないしカット処理に対しても好適に適用可能である。
【００１５】
本発明の好ましい形態として、前記各把持部の前記指伸長把持領域は、前記把持部長尺方向に延在状に形成されるとともに、伸長した状態の使用者の手指の側部上に載置可能な天井部をそれぞれ有することができる。
【００１６】
このように構成することで、使用者は、前髪カット用ハサミを伸長した状態の手指の上に載せる状態で使用することができる。すなわち、当該前髪カット用ハサミを「落とさないように保持する」という意識的動作を要することなく、自然に保持体制を維持することができる。この結果、作業時の疲労が更に少なく、人間工学的に優れた前髪カット用ハサミが構築可能である。
【００１７】
本発明の好ましい態様として、前記各刃部は、ブレードの背部を被覆する樹脂製のカバーを更に有することができる。
このように構成することで、作業対象者の額部近傍で作業する場合の安全性を更に向上し、使用者および作業対象者に与える恐怖心を、一層効果的に軽減することができる。
【００１８】
更に本発明の好ましい態様として、前記櫛部、前記カバーおよび前記把持部については、樹脂による一体成形体として構成することができる。
このように構成することで、前髪カット用ハサミの製造過程における樹脂成型の生産合理性を高めるとともに、樹脂成形部分に外観上の一体感を付与することによってデザインの趣向性を増大することが可能となる。
【００１９】
更に本発明の好ましい態様として、使用者が当該前髪カット用ハサミを額面に向かって交差状に近接操作する場合の鉛直方向を上下方向と定義した場合に、前記刃部延在方向および前記把持部延在方向が、下方向に向かって所定の鈍角をなすように互いに交差状に形成されることができる。
【００２０】
このように構成することで、刃部を作業対象者の額部に向かって正面側から水平（ないし略水平）に近接させる場合、把持部は、水平よりも下方に向かって傾斜状に延在する関係となるので、使用者が把持部を把持するのに、それほど肘を高く挙げる必要がなくなり、作業のために無理な体勢をとる必要がなくなる。これにより、更に人間工学的に優れた前髪カット処理作業が遂行可能とされる。
【００２１】
更に本発明の好ましい態様として、前記第１ハサミ本体構成部１および第２ハサミ本体構成部には、互いに反発する磁性のマグネットがそれぞれ配置されており、前記各マグネット間に生じる反発力により、前記第１ハサミ本体構成部と第２ハサミ本体構成部間に、前記回動支点回りに、離間方向への回転力が作用するように構成することができる。
【００２２】
このように構成することで、使用者が前髪をカットした後、特に格別の操作を行わなくても、第１ハサミ本体構成部と第２ハサミ本体構成部が、自動的に離間（開く）可能とされ、次の作業のための初期位置設定が自動で行われることになる。これにより、使用者は、作業に伴う疲労蓄積を極小化しつつ、櫛部による前髪の選別およびカット処理に集中することができ、さらに高次元の人間工学的作業環境の付与が可能になる。
【００２３】
なお、かかる第１ハサミ本体構成部と第２ハサミ本体構成部間の離間方向への回転力の付与については、例えば両構成部材間に、バネ、ゴムなどの有体性の弾性要素、あるいは減衰要素を介在させることでも実現可能であるが、これらの場合、外観上の付加要素を加えることに起因して、前髪カット用ハサミのデザインへの悪影響が懸念される。また、これらの有体性の機能部材の場合、経時的な損耗に起因する離間回転力の低下が懸念される。本発明におけるマグネットを用いた構成によれば、このような懸念を未然に払拭することができる。
【００２４】
更に本発明の好ましい態様として、前髪カット用ハサミに外力が作用しない場合に、前記各マグネット間に生じる反発力により、前記第１ハサミ本体構成部および第２ハサミ本体構成部は開状態に維持されるよう構成することができる。
このように構成することで、第１ハサミ本体構成部および第２ハサミ本体構成部が互いに開いた状態を初期位置として設定することができ、使用者による作業性が更に向上することになる。
【００２５】
更に好ましい態様として、前記第１ハサミ本体構成部および第２ハサミ本体構成部が互いに閉じた状態で、前記各刃部を被覆するキャップを更に有し、前記キャップが装着された状態で、前記キャップと、前記一対の把持部が、流線一体連続状の外郭を構成することができる。
このように構成することで、各刃部を被覆するキャップと一対の把持部からなる前髪カット用ハサミの外郭に優れたデザイン性を付与することが可能となり、当該前髪カット用ハサミの趣向性を向上し、所有者の満足度を高めることが可能とされる。
【００２６】
なお当該キャップは、寸法上、安全上、ないし外観デザイン上の観点から、第１ハサミ本体構成部と第２ハサミ本体構成部が互いに閉じた状態で、各刃部を被覆する構成とすることが好ましい。
また当該キャップについては、各刃部のみならず、各把持部も被覆する構成、すなわち前髪カット用ハサミの全体を被覆する収容体として構成することも考えられる。しかし、この場合には、収容器としての外寸が不必要に大きくなってしまう可能性があるが、本発明は、そのような懸念を払拭することができる。
【００２７】
本発明によれば、上記各構成により、前髪カット処理の作業性を向上するのに好適な技術を提供されることとなった。
【発明を実施するための最良の形態】
【００２８】
本発明の実施形態について図１〜図５に基づいて説明する。本発明の実施形態に係る前髪カット用ハサミ１は、図１に示すように、回動支点１３回りに互いに相対回動可能に連接された第１ハサミ本体構成部１１および第２ハサミ本体構成部２１を主体として構成されている。
【００２９】
第１ハサミ本体構成部１１および第２ハサミ本体構成部２１は、それぞれ長尺状に形成されるとともに、回動支点１３を挟んで、刃部１１０，２１０、把持部１２０、２２０を有する。
【００３０】
刃部１１０，２１０は、それぞれ刃部長尺方向ＢＬへと伸長する長尺体として構成されるとともに、互いに対向する金属製の刃体であるブレード１１３、２１３と、当該ブレード１１３，２１３よりも先端側に形成された樹脂製の櫛部１１５，２１５と、ブレード１１３，２１３の背部を被覆する樹脂製のカバー１１７，２１７を有する。
【００３１】
櫛部１１５，２１５は、例えばＡＢＳ等による樹脂で形成されており、カット処理対象となる前髪を選り分けるために用いられる。なお当該櫛部１１５，２１５については、金属で成型するとともに、先端をラウンド処理する形態も好適に採用可能である。
カバー１１７，２１７は、例えばＡＢＳ等による樹脂で形成されており、ブレード１１３，２１３の背部を被覆することで、使用者および前髪カット処理作業対象者に対する安全性を確保するとともに、心理的な安心感を付与している。
【００３２】
把持部１２０、２２０は、それぞれ、例えばＡＢＳ等による樹脂製で形成され、それぞれ把持部長尺方向ＨＬに延びる長尺体として形成されるとともに、指伸長把持領域１２３，２２３を有する。
【００３３】
上記櫛部１１５，２１５と、カバー１１７，２１７、および把持部１２０，２２０は、前髪カット用ハサミ１製造時に、樹脂射出成型によって一体成形によって形成され、同材質、同配色にて統一的な外観が付与されている。
【００３４】
指伸長把持領域１２３、２２３の、それぞれ互いに対向する面にはマグネット１２９，２２９が埋め込み状に配置されている。マグネット１２９、２２９は、互いに反発する磁性のものが用いられており（双方ともＮ極、あるいは双方ともＳ極）、把持部１２０，２２０および指伸長把持領域１２３，２２３が回動支点１３回りに、互いに離間する方向、すなわち互いに開く方向への回転力が作用するように構成されている。
【００３５】
一方、特に図示しない回り止めが互いに当接することにより、第１ハサミ本体構成部１１と第２ハサミ本体構成部２１は、互いに最大回動角にて開状態に維持される。図１においては、最大回動角での開状態に置かれた当該前髪カット用ハサミ１が示されている。
【００３６】
前髪カット用ハサミ１の側面視である図２に示すように、刃部１１０、２１０と、把持部１２０，２２０は、刃部長尺方向ＢＬおよび把持部延在方向ＨＬが、下方側において、互いに所定の鈍角θ（本実施の形態では略１２０°）で交差するように構成されている。
そして使用者は、その手指Ｆ（本実施の形態では第１指Ｆ１（親指）、第２指Ｆ２（人差し指）、第３指Ｆ３（中指））を把持部延在方向Ｈに沿うように伸長した状態で、把持部１２０，２２０を把持するように構成される。
【００３７】
また図２におけるＡ―Ａ線での断面図である図３に示すように、指伸長把持領域１２３，２２３は、使用者が手指を伸ばした状態で、当該手指を面接触させて把持するための側面部１２５、２２５および天井部１２７，２２７を有する。側面部１２５，２２５および天井部１２７、２２７は、円滑かつ一体状の連続曲面として形成されており、使用者の手指の腹部ないし側部にフィットする構成とされている。
【００３８】
図３に示すように、使用者は、第１ハサミ本体構成部１１の指伸長把持領域１２３における側面部１２５に第１指Ｆ１（親指）の腹部ＦＢを面接触状に当接させ、天井部１２７に伸長状態の第１指Ｆ１の側部ＦＳを面接触状に当接させる。一方、第２ハサミ本体構成部２１の指伸長把持領域２２３における側面部２２５に、伸長状態の第２指Ｆ２（人差し指）ないし第３指Ｆ３（中指）の腹部ＦＢを面接触状に当接させ、天井部２２７に第２指Ｆ２ないし第３指Ｆ３の側部ＦＳを面接触状に当接させる。なお図３における各手指は、それぞれの断面を模式的に示している。
【００３９】
（前髪カット用ハサミ１の使用態様）
上記の通り構成される前髪カット用ハサミ１につき、その使用態様について説明する。本実施の形態では、使用の一例として、前髪カット用ハサミ１の使用者が、自らの前髪をカット処理する態様、すなわち使用者と前髪カット処理対象者が同一の場合について説明を行う。
【００４０】
図１、図２および図４に示すように、使用者Ｕは、把持部長尺方向ＨＬへと手指Ｆを伸ばした状態で、前髪カット用ハサミ１の把持部１２０，２２０における指伸長把持領域１２３，２２３を把持する。具体的には、把持部１２０の指伸長把持領域１２３を、把持部長尺方向ＨＬへと伸ばした状態の親指Ｆ１で把持し、把持部２２０の指伸長把持領域２２３を、伸ばした状態の人差し指Ｆ２（あるいは中指Ｆ３）で把持する（把持部２２０側の構成については、併せて図１参照）。このとき、人間の身体構造上、手指の関節部における多少の曲折はあるものの、本実施の形態においては、かかる状態は手指Ｆを伸ばした状態として定義される
【００４１】
使用者Ｕは、前髪カット用ハサミ１を自己の額の額面ＦＳに向かって交差状に近接させて、当該前髪カット用ハサミ１を自己の前髪Ｈに到達させる。
そして櫛部１１５，２１５を用いて、カット処理対象となる前髪を選り分けて保持するとともに、伸ばした手指Ｈを用いて把持部１２０，２２０を閉じ方向に操作し、選別された前髪Ｈを刃部１１０，２１０に設けられたブレード１１３，２１３によってカット処理する（前髪カット用ハサミ１の詳細な構造については図１、図２参照）。
【００４２】
この場合、使用者は、手指を伸長した状態で把持した前髪カット用ハサミ１を、その額面ＦＳに向かって交差状に近接して作業を遂行することで、櫛部１１５，２１５および刃部１１０，２１０を作業対象者の顔の左右方向（側方向）に動作させることができ、前髪の「散らばり」や「逃げ」を効果的に抑制しつつカット処理ができる。
【００４３】
しかも図３で説明したように、使用者は、前髪カット用ハサミ１を、伸長した状態の手指Ｆ１、Ｆ２ないしＦ３の上に載せる状態で使用することができ、前髪カット用ハサミ１を「落とさないように保持する」という意識的動作を要することなく、自然に保持体制を維持することができる。この結果、作業時の疲労を極力低減することができる。
【００４４】
また本実施の形態に係る前髪カット用ハサミ１では、上述のように刃部長尺方向ＢＬと把持部長尺方向ＨＬが下方側に鈍角θで交差するように構成されているので（図２参照）、刃部１１２，２１０を額面ＦＳに向かって交差状に近接させる場合に、使用者は、肘ＥＬをあまり持ち上げる必要がなく、作業時における疲労を更に低減することが可能である。
【００４５】
本実施の形態においては、上記構成の前髪カット用ハサミ１を用いることにより、使用者Ｕは、手指Ｆをカット処理対象者（すなわち使用者自身）の額面ＦＳに向かって交差状に伸ばしながら近接操作できるので、人間の身体の構造に照らして操作性が非常に良好である。また額面ＦＳに向かって交差状に近接する刃部１１０，２１０（具体的には櫛部１１５，２１５の先端）を目視し易く、自己の前髪をカット処理するような場合でも、良好な作業性を維持することができる。
【００４６】
また、前髪カット用ハサミ１を額面ＦＳに向かって交差状に近接させる場合、通常は、刃物が顔（特に目に近い領域）に近づくことで恐怖感が生じ易いが、本実施の形態では、ブレード１１３，２１３よりも先端側には樹脂製の櫛部１１５，２１５が設けられており、しかもブレード１１３，２１３の背部は、樹脂製のカバー１１７，２１７で被覆されているため、鋭利な金属による受傷の心配・恐怖感を有さずに作業に集中することができる。
【００４７】
また上述したように、指伸長把持領域１２３、２２３にそれぞれ互いに反発し合うマグネット１２９，２２９が配置され、これにより指伸長把持領域１２３，２２３が、回動支点１３回りに、互いに離間する方向、すなわち互いに開く方向への回転力が作用するように構成されている。このため、使用者が前髪をカット処理した後、手指による外力付加を解除することで、第１ハサミ本体構成部１１および第２ハサミ本体構成部２１は、自動的に最大開度へと付勢されて開状態が維持されることになり、わざわざ使用者が手動操作しなくても、次の作業のための初期状態が自動で確保されることになる。
【００４８】
また、かかる第１ハサミ本体構成部１１と第２ハサミ本体構成部２１間の離間方向への回転力の付与について、埋設式のマグネット１２９，２２９を採用することにより、前髪カット用ハサミ１の外観に余計な要素を加えることが回避可能であり、さらに経時的耐久性の点においても良好な手段が確保できる。
【００４９】
（収納・デザイン性・携帯性）
さらに図５に示すように、本実施の形態に係る前髪カット用ハサミ１は、第１ハサミ本体構成部１１および第２ハサミ本体構成部２１が互いに閉じた状態で、各刃部１１０，２１０を被覆するキャップ１５を更に有する。そして前髪カット用ハサミ１は、キャップ１５が装着された状態で、当該キャップ１５と、各把持部１２０，２２０が、流線状、一体連続状の外郭を構成する。キャップ１５は、把持部１２０，２２０と同じ材料（本実施の形態ではＡＢＳ樹脂で製造されるとともに、把持部１２０，２２０と同配色、同色調とされ、デザイン的な一体性が訴求されている。
【００５０】
かかる構成により、各刃部１１０，２１０を被覆するキャップと把持部１２０，２２０により、前髪カット用ハサミ１の外郭構造に、デザイン性に優れた外観が付与されることになり、所有者の満足度を高めることが可能とされる。
【００５１】
またキャップ１５装着時には、第１ハサミ本体構成部１１および第２ハサミ本体構成部１２は互いに閉じた状態とされ、しかもキャップ１５と把持部１２０，２２０が一体連続状の外郭を呈することから、前髪カット用ハサミ１を例えばバッグ等に収納して携帯するような場合に、他の収納物によって破損されるリスクを最小化することが可能とされる。この点、機能性に加えて優れたデザイン性・携帯性を有する見地より、本実施形態に係る前髪カット用ハサミ１は、特に美容器具として好適に適用可能である。
【００５２】
本実施の形態に係る前髪カット用ハサミ１によれば、前髪カット処理の作業性を向上するのに好適な技術が提供されることとなった。
【図面の簡単な説明】
【００５３】
【図１】本発明の実施形態に係る前髪カット用ハサミの全体構成を示す模式的斜視図である。
【図２】本発明の実施形態に係る前髪カット用ハサミの側面模式図である。
【図３】図２におけるＡ―Ａ線断面図である、
【図４】本発明の実施形態に係る前髪カット用ハサミの使用態様を示す模式図である。
【図５】キャップ１５が取り付けられた状態の前髪カット用ハサミの構成を示す側面模式図である。
【符号の説明】
【００５４】
１  前髪カット用ハサミ
１１  第１ハサミ本体構成部
２１  第２ハサミ本体構成部  
１３  回動支点
１５  キャップ
１１０，２１０  刃部
１１３，２１３  ブレード
１１５，２１５  櫛部
１１７、２１７  カバー
１２０，２２０  把持部
１２３，２２３  指伸長把持領域
１２５、２２５  側面部
１２７，２２７  天井部
１２９，２２９  マグネット
U    使用者
ＦＳ  額面
Ｆ    手指
Ｆ１  第１指（親指）
Ｆ２  第２指（人差し指）
Ｆ３  第３指（中指）
Ｈ    前髪
ＥＬ  肘
【図１】
2020195540.tif 000003
【図２】
2020195540.tif 000004
【図３】
2020195540.tif 000005
【図４】
2020195540.tif 000006
【図５】
2020195540.tif 000007